(57)【要約】【課題】それぞれ異なる波長を有する各種の光ディスク媒体に対して様々に対応しかつその情報を迅速に処理することが可能な光ピックアップおよびこれを用いた光記録再生装置を提供する。【解決手段】多数本のそれぞれ異なる波長の光ビームを選択的に発生する光源モジュールと、発生した光ビームを平行光に変換させるアクロマチックレンズと、光経路上に設置され、光ビームを透過および反射させるビームスプリッタと、光源モジュールから発生した光ビームの波長に対応するように変換され、ビームスプリッタから入射する光をマルチビームに分割してさらにビームスプリッタの方向へ反射回折させる光モジュレータと、光モジュレータから反射回折し、前記ビームスプリッタから光ディスクの方向に反射されたマルチビームを光ディスクの対応するトラックに集光させる対物レンズと、光ディスクのトラックにぶつかって反射されたマルチビームを検出して電気的信号に変換させる光検出器とを含んでいる。【選択図】図２
2004348932.tif 000002
【特許請求の範囲】
【請求項１】
多数のそれぞれ異なる波長の光ビームを選択的に発生する光源モジュールと、
前記発生した光ビームを平行光に変換させるアクロマチックレンズと、
光経路上に設置され、光ビームを透過および反射させるビームスプリッタと、
前記光源モジュールから発生した光ビームの波長に対応するように変換され、前記ビームスプリッタから入射する光をマルチビームに分割してさらにビームスプリッタの方向へ反射回折させる光モジュレータと、
前記光モジュレータから反射回折して前記ビームスプリッタから光ディスクの方向に反射されたマルチビームを光ディスクの対応するトラックに集光させる対物レンズと、
前記光ディスクのトラックにぶつかって反射されたマルチビームを検出して電気的信号に変換させる光検出器とを含むことを特徴とする光ピックアップ。
【請求項２】
前記光ディスクの信号トラックにぶつかって反射されたマルチビームを光検出器の対応するセルに集束させるセンサレンズをさらに含む請求項１記載の光ピックアップ。
【請求項３】
前記マルチビームの間隔を光ディスクトラックのピッチと同一にした請求項１または２記載の光ピックアップ。
【請求項４】
前記光源モジュールは前記それぞれ異なる波長を有する光ビームの光放出面が同一の平面に位置するように形成する請求項１または２記載の光ピックアップ。
【請求項５】
前記多数本の光ビームのうち、中間部分から発生する波長の光は、光モジュレータから反射回折して形成されるマルチビームの中でも、０次回折した光とその中心経路が同一であり、他の波長の光は、−１次回折した光とその中心経路が同一であり、さらに他の波長の光は、＋１次回折した光とその中心経路が同一である請求項１または２記載の光ピックアップ。
【請求項６】
前記多数本の光ビームはそれぞれ４０５ｎｍ、６５０ｎｍ、７８０ｎｍ波長の光ビームである請求項１または２記載の光ピックアップ。
【請求項７】
前記ビームスプリッタとして偏光ビームスプリッタを使用し、偏光ビームスプリッタと光モジュレータとのあいだ、および偏光ビームスプリッタと対物レンズとのあいだに、透過するビームを円偏光に変換させる１／４波長板がそれぞれ配設されてなる請求項１または２記載の光ピックアップ。
【請求項８】
請求項１または２記載の光ピックアップを用いて製造されたことを特徴とする光記録再生装置。
【請求項９】
多数のそれぞれ異なる波長の光ビームを選択的に発生し、色収差を補正するためにそれぞれの波長の光放出面が互いに異なるように配置された光源モジュールと、
前記発生した光ビームを平行光に変換させるコリメータレンズと、
光経路上に設置され、光ビームを透過および反射させるビームスプリッタと、
前記光源モジュールから発生した光ビームの波長に対応するように変換され、前記ビームスプリッタから入射する光をマルチビームに分割してさらにビームスプリッタの方向へ反射回折させる光モジュレータと、
前記光モジュレータから反射回折して前記ビームスプリッタから光ディスクの方向に反射されたマルチビームを光ディスクの対応するトラックに集光させる対物レンズと、
前記光ディスクのトラックにぶつかって反射されたマルチビームを検出して電気的信号に変換させる光検出器とを含むことを特徴とする光ピックアップ。
【請求項１０】
前記光ディスクの信号トラックにぶつかって反射されたマルチビームを光検出器の対応するセルに集束させるセンサレンズをさらに含んでなる請求項９記載の光ピックアップ。
【請求項１１】
前記コリメータレンズとして屈折レンズを使用し、光源モジュールから発生した多数の波長のうち、コリメータレンズの近くに配置された光放出面から入射する波長の光ビームは短波長であり、コリメータレンズから遠くに配置された光放出面から入射する波長の光ビームは長波長である請求項９または１０記載の光ピックアップ。
【請求項１２】
前記コリメータレンズとして回折型レンズを使用し、光源モジュールから発生した多数の波長のうち、コリメータレンズの近くに配置された光放出面から入射する波長の光ビームは長波長であり、コリメータレンズから遠くに配置された光放出面から入射する波長の光ビームは短波長である請求項９または１０記載の光ピックアップ。
【請求項１３】
前記多数本の光ビームのうち、中間部分から発生する波長の光は、光モジュレータから反射回折して形成されるマルチビームの中でも、０次回折した光とその中心経路が同一であり、他の波長の光は、−１次回折した光とその中心経路が同一であり、さらに他の波長の光は、＋１次回折した光とその中心経路が同一である請求項９または１０記載の光ピックアップ。
【請求項１４】
前記多数本の光ビームはそれぞれ４０５ｎｍ、６５０ｎｍ、７８０ｎｍ波長の光ビームである請求項９または１０記載の光ピックアップ。
【請求項１５】
前記ビームスプリッタとして偏光ビームスプリッタを使用し、偏光ビームスプリッタと光モジュレータとのあいだ、および偏光ビームスプリッタと対物レンズとのあいだに、透過するビームを円偏光に変換させる１／４波長板がそれぞれ配設されてなる請求項９または１０記載の光ピックアップ。
【請求項１６】
請求項９または１０記載の光ピックアップを用いて製造されたことを特徴とする光記録再生装置。
【請求項１７】
発生した光ビームが光スプリッタによって透過および反射して光ディスクの情報を光検出器に送信する光ピックアップであって、
それぞれ異なる波長を有する多数本の光ビームを選択的に発生する光源モジュールと、
選択的に発生した光ビームに応じて変換され、入射する光ビームをマルチビームに反射回折させる光モジュレータとを含むことを特徴とする光ピックアップ。
【請求項１８】
前記多数本の光ビームはそれぞれ４０５ｎｍ、６５０ｎｍ、７８０ｎｍ波長の光ビームである請求項１７記載の光ピックアップ。
【請求項１９】
前記ビームスプリッタとして偏光ビームスプリッタを使用し、偏光ビームスプリッタと光モジュレータとのあいだ、および偏光ビームスプリッタと光ディスクとのあいだに、透過するビームを円偏光に変換させる１／４波長板がそれぞれ配設されてなる請求項１７記載の光ピックアップ。
【発明の詳細な説明】
【技術分野】
【０００１】
本発明は、光ピックアップに関し、より詳しくは、光ディスクの回転速度を増加させることなく情報の迅速な処理が可能であるとともに、それぞれ異なる波長を有する光ビームを用いる各種光ディスク媒体への対応が可能な光ピックアップおよびこれを用いた光記録再生装置に関する。
【背景技術】
【０００２】
一般に、光ピックアップは、各種光ディスクから信号を再生し、または光ディスクに信号を記録する機器であり、最近、より記憶容量が大きくて処理速度の速いものが開発されている。
【０００３】
まず、光ピックアップ記憶容量の発展方向について考察する。
【０００４】
現在、ＤＶＤ製品とＣＤ製品が広く用いられている。一例として、ＣＤ製品は７８０ｎｍ波長の光ビームを用いて６５０ＭＢの情報を記憶し、ＤＶＤ製品は６５０ｎｍ波長の光ビームを用いて４．７ＧＢの情報を記憶する。
【０００５】
一方、ＨＤ放送の開始に伴って、種々の情報を充分記憶することが可能なＢｌｕ−ｒａｙ製品が開発されている。
【０００６】
Ｂｌｕ−ｒａｙ製品は、４０５ｎｍ波長の光ビームを用いて２５ＧＢ以上の情報が記憶できるように情報記憶容量をより増加させるべく計画されている。
【０００７】
このように、光ピックアップの記録方式の進歩速度は急速である。
【０００８】
すなわち、短波長の光ビームを用いることにより、より小さい光スポットの形成が可能になり、この小さい光スポットによってさらに大きい情報記録密度の実現が可能になる。
【０００９】
ところが、記録方式の進歩速度が市場の拡張速度より速いため、多くの消費者は大容量の記録媒体とともに小容量の安い記録媒体が兼用できる製品を求めている。
【００１０】
しかし、現在まで登場した光ピックアップは、ＣＤ製品、ＤＶＤ製品およびＢｌｕ−ｒａｙ製品などの各種光記録媒体に全て対応可能な製品がなく、したがって、消費者に充分な満足度を提供することができないという問題がある。
【００１１】
つぎに、光ピックアップの情報処理速度の発展方向について説明する。
【００１２】
現在、光ディスクの回転速度を高めて情報処理速度を増加させる製品が出て市販されているが、このような製品は限界をもっている。
【００１３】
たとえば、光ディスクの回転速度を高めると、光の焦点を補正するために、光ディスクに非常に高い平坦性（flatness）が要求されるが、このような要求条件により光ディスク媒体の値段が上昇する。
【００１４】
したがって、特許文献１には、マルチビームを用いるので、光ディスクの回転速度を増加させることなく、情報処理速度を向上させることが可能な光ピックアップが開示されている。
【００１５】
図１には前記特許文献１の構成が示されている。
【００１６】
図１を参照してその動作を説明すると、レーザダイオード４から発生した光３は、回折格子（grating）５によってマルチビーム３−１、３−２、３−３、３−４、３−５に分割される。分割されたビームは、ビームスプリッタ６を透過してコリメータレンズ７によって平行光に変換されたのち、対物レンズ８によって光ディスク１に集束する。
【００１７】
各トラックから反射されたビームは、対物レンズ８によって平行光に変換され、コリメータレンズ７によって光検出器（Photo Diode Array）２に集束する。この際、光検出器２とコリメータレンズ７とのあいだにはビームスプリッタ６が存在するため、集束するビームが回折格子５に戻らず、光検出器へ向かうことになる。
【００１８】
回折格子５によって回折して生成されたマルチビームはそれぞれのトラックに対応し、それぞれのトラックから反射された光はそれぞれ光検出器２の一セルに対応する。したがって、各ビームに対応する各トラックの情報は光検出器の対応する各セルに送信されて電気的信号に変換される。
【００１９】
このような構成により、前述した光ピックアップは、光ディスクの回転速度を増加させることなく、マルチビームを用いて光ディスクの情報を迅速に処理することができる。
【００２０】
ところが、従来の光ピックアップは、１種類の波長のみを許容する固定用回折格子を使用するため、それぞれ異なる波長を有する光ビームを用いる各種の光ディスク媒体に対応することができないという問題がある。
【００２１】
【特許文献１】米国特許第６，３８５，１４３号明細書
【発明の開示】
【発明が解決しようとする課題】
【００２２】
本発明は、かかる問題を解決するためのもので、その目的は、それぞれ異なる波長を有する光ビームを用いる各種の光ディスク媒体に対して様々に対応しかつその情報を迅速に処理することが可能な光ピックアップを提供することにある。
【００２３】
本発明の他の目的は、前記光ピックアップを用いた光記録再生装置を提供することにある。
【課題を解決するための手段】
【００２４】
前記目的を達成するために、本発明の光ピックアップは、多数本のそれぞれ異なる波長の光ビームを選択的に発生する光源モジュールと、発生した光ビームを平行光に変換させるアクロマチックレンズと、光経路上に設置され、光ビームを透過および反射させるビームスプリッタと、光源モジュールから発生した光ビームの波長に対応するように変換され、ビームスプリッタから入射する光をマルチビームに分割してさらにビームスプリッタの方向へ反射回折させる光モジュレータと、光モジュレータから反射回折し、前記ビームスプリッタから光ディスクの方向に反射されたマルチビームを光ディスクの対応するトラックに集光させる対物レンズと、光ディスクのトラックにぶつかって反射されたマルチビームを検出して電気的信号に変換させる光検出器とを含んでいる。
【００２５】
また、光ディスクの信号トラックにぶつかって反射されたマルチビームを光検出器の対応セルに集束させるセンサレンズをさらに含んでいるのが好ましい。
【００２６】
前記光源モジュールは、前記それぞれ異なる波長を有する光ビームの光放出面が同一の平面に位置するように形成するのが好ましい。
【００２７】
前記多数本の光ビームのうち、中間部分から発生する波長の光は、光モジュレータから反射回折して形成されるマルチビームの中でも、０次回折した光とその中心経路が同一であり、他の波長の光は、−１次回折した光とその中心経路が同一であり、さらに他の波長の光は、＋１次回折した光とその中心経路が同一であるのが好ましい。
【００２８】
前記多数本の光ビームは、それぞれ４０５ｎｍ、６５０ｎｍ、７８０ｎｍ波長の光ビームから構成されるのが好ましい。
【００２９】
また、前記ビームスプリッタとしては偏光ビームスプリッタを使用し、偏光ビームスプリッタと光モジュレータとのあいだ、および偏光ビームスプリッタと対物レンズとのあいだには、透過するビームを円偏光に変換させる１／４波長板がそれぞれ配設されるのが好ましい。
【００３０】
一方、前記目的を達成するための本発明の光ピックアップは、多数本のそれぞれ異なる波長の光ビームを選択的に発生し、色収差を補正するためにそれぞれの波長の光放出面が互いに異なるように配置された光源モジュールと、発生した光ビームを平行光に変換させるコリメータレンズと、光経路上に設置され、光ビームを透過および反射させるビームスプリッタと、光源モジュールから発生する光ビームの波長に対応するように変換され、ビームスプリッタから入射する光をマルチビームに分割してさらにビームスプリッタの方向へ反射回折させる光モジュレータと、光モジュレータから反射回折し、前記ビームスプリッタから光ディスクの方向に反射されたマルチビームを光ディスクの対応するトラックに集光させる対物レンズと、光ディスクのトラックにぶつかって反射されたマルチビームを検出して電気的信号に変換させる光検出器とを含んでいる。
【００３１】
また、光ディスクの信号トラックにぶつかって反射されたマルチビームを光検出器の対応セルに集束させるセンサレンズをさらに含んでいるのが好ましい。
【００３２】
前記コリメータレンズとして屈折レンズを使用すると、光源モジュールから発生した多数の波長のうち、コリメータレンズの近くに配置された光放出面から入射する波長の光ビームは短波長になり、コリメータレンズから遠くに配置された光放出面から入射する波長の光ビームは長波長になる。
【００３３】
これに対し、前記コリメータレンズとして回折型レンズを使用すると、光源モジュールから発生した多数の波長のうち、コリメータレンズの近くに配置された光放出面から入射する波長の光ビームは長波長になり、コリメータレンズから遠くに配置された光放出面から入射する波長の光ビームは短波長になる。
【００３４】
前記多数本の光ビームのうち、中間部分から発生する波長の光は、光モジュレータから反射回折して形成されるマルチビームの中でも、０次回折した光とその中心経路が同一であり、他の波長の光は、−１次回折した光とその中心経路が同一であり、さらに他の波長の光は、＋１次回折した光とその中心経路が同一であるのが好ましい。
【００３５】
前記多数本の光ビームは、それぞれ４０５ｎｍ、６５０ｎｍ、７８０ｎｍ波長の光ビームから構成されるのが好ましい。
【００３６】
光効率を高めるために、前記ビームスプリッタとしては偏光ビームスプリッタを使用し、偏光ビームスプリッタと光モジュレータとのあいだ、および偏光ビームスプリッタと対物レンズとのあいだには、透過するビームを円偏光に変換させる１／４波長板がそれぞれ配設されるのが好ましい。
【００３７】
前記他の目的を達成するための本発明の光記録再生装置は、前記のように構成された光ピックアップを用いて製造することができる。
【発明の効果】
【００３８】
本発明は、それぞれ異なる波長の光ビームを選択的に発生する光源モジュールと入射する光ビームをマルチビームに反射回折させる光モジュレータを適用して光ディスクの情報を迅速に処理することができ、各種光ディスク媒体のいずれにも対応することができるという効果がある。
【発明を実施するための最良の形態】
【００３９】
以下、添付図面を参照して本発明を詳細に説明する。
【００４０】
図２は本発明の一実施の形態にかかわる光ピックアップの構成を概略的に示す。
【００４１】
図２を参照すると、本発明の光ピックアップは、光源モジュール１０から発生した光ビームＢ１、Ｂ２、Ｂ３がアクロマチックレンズ２０を介して平行光に変換されたのち、ビームスプリッタ３０を透過して光モジュレータ４０から反射回折してマルチビームＭＢ１、ＭＢ２、ＭＢ３に変換され、このマルチビームがさらにビームスプリッタ３０から反射されて対物レンズ５０を介して光ディスクＤの対応トラックにそれぞれ集束するように構成されている。
【００４２】
そして、光ディスクＤから反射されたマルチビームが、センサレンズ６０を介して光検出器７０の対応セルにそれぞれ集束して電気的信号に変換されるように構成される。
【００４３】
ここで、光源モジュール１０は、多数のそれぞれ異なる波長の光ビームＢ１、Ｂ２、Ｂ３を選択的に発生するように構成される。
【００４４】
すなわち、光源モジュール１０の内部には、それぞれ異なる波長の光ビームＢ１、Ｂ２、Ｂ３を発光する３つのチップＬＤ１、ＬＤ２、ＬＤ３が備えられるが、それぞれのチップは互いに同一の面上に並んで所定の間隔で配置される。
【００４５】
このようなチップのうち、中間に位置したチップＬＤ１はＤＶＤ製品に適用される６５０ｎｍ波長の光ビームＢ１を発生し、ＬＤ１を中心として一側に位置したチップＬＤ２はＣＤ製品に適用される７８０ｎｍ波長の光ビームＢ２を発生し、ＬＤ１を中心として他側に位置したチップＬＤ３はＢｌｕ−ｒａｙ製品に適用される４０５ｎｍ波長の光ビームＢ３を発生するように構成することが好ましい。
【００４６】
アクロマチックレンズ２０は入射光を平行光に変換させるように、そしてビームスプリッタ３０は光ビームを透過および反射させるように構成する。
【００４７】
光モジュレータ４０は、光源モジュール１０から発生する光ビームの波長に対応するように変換し、入射光を回折変調させるものである。その原理は公知技術なので、簡略に説明する。
【００４８】
すなわち、基板上に多数の単位セルが設けられ、それぞれのセルはその両端が基板に固定されてその中間部分が基板から離隔するように構成される。そして、それぞれのセルは交番して電圧の印加が可能な手段と連結される。
【００４９】
ここで、セルに電圧がかからなければ、全てのセルが同一の平面上に位置することになり、垂直に入射する光をそのまま反射する。すなわち、入射光に対する回折が発生しなくなるモードとなる。
【００５０】
ところが、セルに電圧がかかると、電気場が印加されるセルのみが基板側に撓んで互いに格子型の構造を有することになるので、入射光を回折させるモードとなる。
【００５１】
したがって、このような反射回折型光モジュレータは、印加電圧と構造によってその回折光量の程度と回折角を調節することができるので、入射する光の波長に応じて変換し、入射光を反射回折させることができる。
【００５２】
もちろん、本発明にかかわる光モジュレータは、前記一例をあげて説明した光モジュレータに限定されず、全ての反射回折型光モジュレータを適用することができる。
【００５３】
光モジュレータ４０から反射回折して形成されたそれぞれ異なる３波長を有するマルチビームＭＢ１、ＭＢ２、ＭＢ３のうち、一つのマルチビームが±Ｎ次回折の光ビームを用いる場合、他のマルチビームは−（Ｎ＋１）次〜（Ｎ−１）次回折の光ビーム、さらに他のマルチビームは−（Ｎ−１）次〜（Ｎ＋１）次回折の光ビームを用いるように構成することが好ましい。
【００５４】
対物レンズ５０は、光ディスクＤに向かう光を集束させ、光ディスクから反射された光を平行光に変換させる。
【００５５】
センサレンズ６０は、光ディスクの信号トラックから反射回折したマルチビームＭＢ１、ＭＢ２、ＭＢ３を光検出器７０の対応するそれぞれのセルに集束させる。光検出器７０は対応する情報を電気的信号に変換させる。
【００５６】
このように構成された本発明の一実施の形態にかかわる光ピックアップは、それぞれ６５０ｎｍ波長、７８０ｎｍ波長、４０５ｎｍ波長の光ビームを発生する。つぎに、それぞれ異なる波長の光経路について説明する。
【００５７】
図３ａと図３ｂはＤＶＤ製品に適用される６５０ｎｍ波長の光経路を示す。
【００５８】
まず、図３ａを参照しつつ、発生した光ビームが光ディスクに達する経路を説明すると、６５０ｎｍ波長の光ビームＢ１は光源モジュール１０の中間部分から発生し、アクロマチックレンズ２０を介して平行光に変換される。
【００５９】
平行光に変換された光ビームは、ビームスプリッタ３０を透過したのち、反射回折型光モジュレータ４０によって反射回折してマルチビームＭＢ１に分割される。
【００６０】
この際、マルチビームＭＢ１は０、±１、±２次回折光からなり、光モジュレータ４０に入射する光ビームはマルチビームのうち０次回折したビームとその中心経路が同一になる。
【００６１】
このように分割形成されたそれぞれのマルチビームＭＢ１は、さらにビームスプリッタ３０に向かい、ビームスプリッタから光ディスクＤの方向へ反射回折し、対物レンズ５０を介して光ディスクＤの対応トラックに集束する。
【００６２】
つぎに、図３ｂを参照しつつ、光ディスクから反射された光が光検出器に達する経路について説明する。光ディスクＤの信号トラックから反射されたマルチビームＭＢ１は、対物レンズ５０によって平行光に変換されてビームスプリッタ３０を透過する。
【００６３】
ビームスプリッタ３０を透過したマルチビームＭＢ１は、センサレンズ６０によってそれぞれ光検出器７０の対応セルに集束される。光検出器７０は対応する情報を電気的信号に変換させる。
【００６４】
図４ａと図４ｂはＣＤ製品に適用される７８０ｎｍ波長の光経路を示す。
【００６５】
図４ａおよび図４ｂを参照すると、７８０ｎｍ波長の光ビームも前述した６５０ｎｍ波長の光ビームと類似の光経路を有する。したがって、その動作説明は省略する。
【００６６】
相違点は、光モジュレータ４０に入射する光ビームＢ２が、−３、−２、−１、０、＋１次回折光からなるマルチビームＭＢ２の−１次回折光と同一の中心経路を有することである。したがって、７８０ｎｍ波長の光ビームと６５０ｎｍ波長の光ビームは同一の光軸上に置かれなくなる。
【００６７】
図５ａと図５ｂはＢｌｕ−ｒａｙ製品に適用される４０５ｎｍ波長の光経路を示す。
【００６８】
図５ａおよび図５ｂを参照すると、４０５ｎｍ波長の光ビームも前述した６５０ｎｍ波長の光ビームと同一の光経路を有する。したがって、その動作説明は省略する。
【００６９】
相違点は、光モジュレータ４０に入射する光ビームＢ３が、−１、０、＋１、＋２、＋３次回折光からなるマルチビームＭＢ３の＋１次回折光と同一の中心経路を有することである。したがって、４０５ｎｍ波長の光ビームと６５０ｎｍ波長の光ビームは同一の光軸上に置かれなくなる。
【００７０】
前述したように、本発明は、それぞれ異なる３つの波長の光ビームが発生するため、ＤＶＤ製品、ＣＤ製品、Ｂｌｕｅ−ｒａｙ製品など様々な光ディスク媒体に適用することができる。
【００７１】
また、本発明は、それぞれ異なる波長の光ビームが同じ光学部品を用いるため、部品数が減少し、したがって、光ピックアップのコストが削減されて製品の競争力が向上する。
【００７２】
また、本発明は、マルチビームを適用するため、光ディスクの種々のビット（Bit）の情報を同時に読み取ることができ、これにより情報処理速度が速くなる。
【００７３】
図６は本発明の光ピックアップの他の実施の形態を示す。
【００７４】
図６を参照すると、本発明の他の実施の形態は、前述した図２の一実施の形態と比較したとき、ほとんどの構成要素が同一である。したがって、以下では相異する構成要素のみを説明する。
【００７５】
本実施の形態によれば、アクロマチックレンズの代わりに通常のコリメータレンズ２０−１を使用する。
【００７６】
光源モジュール１０−１は、多数のそれぞれ異なる波長の光ビームを選択的に発生するように、内部にはそれぞれ異なる波長の光ビームＢ１、Ｂ２、Ｂ３を発光する３つのチップＬＤ１、ＬＤ２、ＬＤ３を備える。それぞれのチップは色収差補正のためにコリメータレンズ２０−１に対してそれぞれ異なる距離を有するように配置され、それぞれの波長の光放出面が互いに異なるように構成される。
【００７７】
この際、コリメータレンズ２０−１が屈折レンズであれば、光源モジュールから発生する多数の波長のうち、コリメータレンズの近くに配置されたチップの光放出面から入射する波長の光ビームは短波長になり、コリメータレンズから遠くに配置されたチップの光放出面から入射する波長の光ビームは長波長となるように構成することが好ましい。
【００７８】
また、コリメータレンズ２０−１が回折型レンズであれば、光源モジュールから発生する多数の波長の光ビームのうち、コリメータレンズの近くに配置されたチップの光放出面から入射する波長の光ビームは長波長となり、コリメータレンズから遠くに配置されたチップの光放出面から入射する波長の光ビームは短波長となるように構成することが好ましい。
【００７９】
このように構成された本実施の形態は、前述した図２の一実施の形態と比較すれば、光放出面が互いに異なるだけで、互いに同一の光経路および作用効果を有する。したがって、その説明は省略する。
【００８０】
一方、図７には本発明の光ピックアップのさらに他の実施の形態が示されている。
【００８１】
図７を参照すると、本発明のさらに他の実施の形態は、前述した図２の一実施の形態と比較したとき、ほとんどの構成要素が同一なので、以下では相違点のみを説明する。
【００８２】
本実施の形態によれば、光効率を向上させるために一般的なビームスプリッタの代わりに偏光ビームスプリッタ３０−１を使用する。
【００８３】
偏光ビームスプリッタ３０−１と光モジュレータ４０とのあいだ、および偏光ビームスプリッタ３０−１と対物レンズ５０とのあいだには、透過するビームを円偏光に変換させる１／４波長板８０がそれぞれさらに配設される。
【００８４】
ついで、このように構成された本実施の形態の光経路および作用について説明する。
【００８５】
図８ａと図８ｂは６５０ｎｍ波長の光経路を示す。
【００８６】
まず、図８ａを参照すると、６５０ｎｍ波長の光ビームＢ１は、光源モジュール１０の中間部分から発生し、アクロマチックレンズ２０を介して平行光に変換される。
【００８７】
アクロマチックレンズ２０を通過した光ビームのうち、Ｐ偏光成分のみが偏光ビームスプリッタ３０−１を透過し、透過したＰ偏光成分は１／４波長板８０によって円偏光に変換されて反射回折型光モジュレータ４０に入射する。
【００８８】
円偏光は光モジュレータ４０によって反射回折してマルチビームＭＢ１に分割され、さらに１／４波長板８０を介してＳ偏光成分に変換される。
【００８９】
Ｓ偏光成分のマルチビームＭＢ１は、さらに偏光ビームスプリッタ３０−１に向かい、偏光ビームスプリッタから反射回折して偏光ビームスプリッタ３０−１と対物レンズ５０とのあいだの１／４波長板８０に向かうことになる。
【００９０】
１／４波長板８０を透過したＳ偏光成分のマルチビームＭＢ１は、さらに円偏光に変換され、対物レンズ５０によって光ディスクＤの対応トラックにそれぞれ集束される。
【００９１】
つぎに、図８ｂを参照すると、光ディスクＤの信号トラックから反射されたＳ偏光成分のマルチビームＭＢ１は、対物レンズ５０によって平行光に変換され、１／４波長板８０を介してＰ偏光成分に変換されて偏光ビームスプリッタ３０を透過する。
【００９２】
透過したマルチビームＭＢ１はセンサレンズ６０によってそれぞれ光検出器７０の対応セルに集束される。光検出器７０では対応する情報の光エネルギーを電気的信号に変換させる。
【００９３】
以上、本実施の形態では６５０ｎｍ波長の光経路のみを説明したが、７８０ｎｍ波長および４０５ｎｍ波長もこれと同一の光経路および作用を有する。したがって、その説明は省略する。
【００９４】
ただし、７８０ｎｍ波長の光ビームＢ２は、光モジュレータから反射回折したマルチビームＭＢ２のうち−１次回折した光とその中心経路が同一であり、４０５ｎｍ波長の光ビームＢ３は、光モジュレータから反射回折したマルチビームＭＢ３のうち１次回折した光とその中心経路が同一なので、７８０ｎｍ波長と４０５ｎｍ波長は６５０ｎｍ波長と同一の光軸上に置かれなくなる。
【００９５】
このように構成されて作動する本実施の形態は、前述した一実施の形態と同様に光ディスク情報を迅速に処理することができ、様々な光ディスク媒体に適用することができるうえ、偏光ビームスプリッタによって光損失を減らすことにより光効率を増加させることができる。
【００９６】
図９は本発明の光ピックアップのさらに他の実施の形態を示す。
【００９７】
図９を参照すると、本発明のさらに他の実施の形態は、図６に示した実施の形態とは、図７に示した実施の形態の偏光ビームスプリッタと１／４波長板を適用するようにした点が相異する。
【００９８】
もちろん、その作用効果は前述した実施の形態と同一である。したがって、その説明は省略する。
【００９９】
本発明は、前述した実施の形態では、それぞれ異なる３種の波長を有する光ビームが発生するように構成されているが、製品によって４種や５種など３種以上の波長が適用されるように構成することもできる。
【０１００】
また、本発明は、前述した実施の形態では、マルチビームが５本のビームから構成されているが、製品によって３本または７本以上から構成されてもよい。
【０１０１】
一方、前述した本発明の光ピックアップの実施の形態は様々な種類の光記録再生装置に適用することができ、この光記録再生装置も本発明の範疇に含まれるものと理解すべきである。
【０１０２】
以上、本発明を特定の実施の形態と関連して図示および説明したが、当業者ならば、特許請求の範囲によって定められる発明の思想および領域から逸脱しない限度内で様々な改造および変化が可能である。
【図面の簡単な説明】
【０１０３】
【図１】従来の技術にかかわる光ピックアップの一例を概略的に示す構成図である。
【図２】本発明の光ピックアップの一実施の形態を概略的に示す構成図である。
【図３ａ】図２において、６５０ｎｍ波長の光ビームが発生して光ディスクに到達する光経路を示す作動図である。
【図３ｂ】光ディスクから反射された６５０ｎｍ波長の光ビームが光検出器の対応セルに集束する光経路を示す作動図である。
【図４ａ】図２において、７８０ｎｍ波長の光ビームが光ディスクに到達する光経路を示す作動図である。
【図４ｂ】光ディスクから反射された７８０ｎｍ波長の光ビームが光検出器の対応セルに集束する光経路を示す作動図である。
【図５ａ】図２において、４０５ｎｍ波長の光ビームが光ディスクに到達する光経路を示す作動図である。
【図５ｂ】光ディスクから反射された４０５ｎｍ波長の光ビームが光検出器の対応セルに集束する光経路を示す作動図である。
【図６】本発明の光ピックアップの他の実施の形態を概略的に示す構成図である。
【図７】本発明の光ピックアップのさらに他の実施の形態を概略的に示す構成図である。
【図８ａ】図７において、６５０ｎｍ波長の光ビームが光ディスクに到達する光経路を示す作動図である。
【図８ｂ】光ディスクから反射された６５０ｎｍ波長の光ビームが光検出器の対応セルに集束する光経路を示す作動図である。
【図９】本発明の光ピックアップのさらに他の実施の形態を概略的に示す構成図である。
【符号の説明】
【０１０４】
１０、１０−１  光源モジュール
２０      アクロマチックレンズ
２０−１  コリメータレンズ
３０      ビームスプリッタ
３０−１  偏光ビームスプリッタ
４０      光モジュレータ
５０      対物レンズ
６０      センサレンズ
７０      光検出器
８０      １／４波長板
Ｂ１    ６５０ｎｍ波長の光ビーム
Ｂ２    ７８０ｎｍ波長の光ビーム
Ｂ４    ４０５ｎｍ波長の光ビーム
Ｄ      光ディスク
ＬＤ１    ６５０ｎｍ波長のチップ
ＬＤ２    ７８０ｎｍ波長のチップ
ＬＤ３    ４０５ｎｍ波長のチップ
ＭＢ１    ６５０ｎｍ波長のマルチビーム
ＭＢ２    ７８０ｎｍ波長のマルチビーム
ＭＢ３    ４０５波長のマルチビーム
【図１】
2004348932.tif 000003
【図２】
2004348932.tif 000004
【図３ａ】
2004348932.tif 000005
【図３ｂ】
2004348932.tif 000006
【図４ａ】
2004348932.tif 000007
【図４ｂ】
2004348932.tif 000008
【図５ａ】
2004348932.tif 000009
【図５ｂ】
2004348932.tif 000010
【図６】
2004348932.tif 000011
【図７】
2004348932.tif 000012
【図８ａ】
2004348932.tif 000013
【図８ｂ】
2004348932.tif 000014
【図９】
2004348932.tif 000015